(57)【要約】      （修正有）【課題】例えば携帯型デジタル音楽プレイヤー等の携帯電子機器を、カーオーディオ等の車載電子機器に接続するためのＵＳＢケーブルのコネクタを車室内に保持しておくための車載用ケーブルホルダーに関し、コネクタの保持機構と、外部操作による押出機構とを備える。【解決手段】車載用ケーブルホルダー10には、ホルダー本体30、コネクタ収納凹部33内に相対向して突出し、コネクタ収納凹部33にはめ込まれたコネクタ21を保持する少なくとも一対のコネクタ保持部（例えば弾性片34）、コネクタ収納凹部33内に設けられ、外部操作により、コネクタ保持部（例えば弾性片34）による保持力に抗して、コネクタ収納凹部33内にはめ込まれたコネクタ21を当該コネクタ収納凹部33の開口面に向かって押し出すためのコネクタ押出装置（例えばレバー40）を備える。【選択図】図１
2011005944.tif 000002
【特許請求の範囲】
【請求項１】
一方が車載電子機器に接続され、
他方に携帯電子機器を接続可能なコネクタを有するケーブルの前記コネクタを保持する車載用ケーブルホルダーであって、
前記コネクタがはまり込む凹状のコネクタ収納凹部を有し、車室内に固定されるホルダー本体と、
前記コネクタ収納凹部内に相対向して突出し、前記コネクタ収納凹部にはめ込まれた前記コネクタを保持する少なくとも一対のコネクタ保持部と
外部操作により、前記コネクタ保持部による保持力に抗して、前記コネクタ収納凹部内にはめ込まれた前記コネクタを当該コネクタ収納凹部の開口面に向かって押し出すためのコネクタ押出装置とを備えていることを特徴とする車載用ケーブルホルダー。
【請求項２】
請求項１に記載の車載用ケーブルホルダーであって、
前記コネクタ押出装置には、
前記ホルダー本体に回転可能に支持された回転部と、
前記回転部を挟んで一端部に位置し、前記コネクタ収納凹部の外側に臨むとともに、操作者が押圧可能な操作部と、
前記回転部を挟んで他端部に位置し、前記コネクタ収納凹部内に臨むとともに、前記操作部が押圧された際の押圧力により前記回転部を中心に回転し、前記コネクタ収納凹部内にはめ込まれた前記コネクタを前記開口面に向かって押し出すための押圧部とを備えていることを特徴とする車載用ケーブルホルダー。
【請求項３】
請求項１に記載の車載用ケーブルホルダーであって、
前記コネクタ押出装置には、
前記コネクタ収納凹部の内壁に回転可能に支持され、一方向に回転し、前記コネクタ収納凹部内にはめ込まれた前記コネクタを前記開口面に向かって押し出すとともに、前記コネクタを前記開口面にはめ込むことにより、当該コネクタに押されて反対方向に回転可能な回転体と、
前記回転体を前記一方向に向かって回転するように回転力を付与するとともに、前記回転体が反対方向に回転した際に回転力を蓄積可能な付勢手段と、
前記付勢手段が回転力を蓄積した状態にロックするとともに、外部操作によりロック状態を解除可能なロック手段とを備えていることを特徴とする車載用ケーブルホルダー。
【請求項４】
請求項３に記載の車載用ケーブルホルダーであって、
前記コネクタ押出装置には、
前記ロック手段のロック状態を解除可能な操作ボタンを備えていることを特徴とする車載用ケーブルホルダー。
【請求項５】
請求項３又は請求項４に記載の車載用ケーブルホルダーであって、
前記回転体は、
前記コネクタ収納凹部内にはめ込まれた前記コネクタを両側から挟み持つことが可能な一対のアームから構成され、
前記アームは、
前記コネクタ収納凹部の底から前記開口面に向かって上下方向に延び、
高さの途中が回転軸により回転可能に支持され、
前記コネクタ収納凹部の前記開口面側に位置する前記アームの上端部には、
相対向して突出し、前記コネクタ収納凹部内にはめ込まれた前記コネクタの上面に引っ掛かり、前記コネクタ保持部として機能する掛止部を設け、
前記掛止部に対し前記回転軸を挟んで前記コネクタ収納凹部の底側に位置する前記アームの下端部には、
前記コネクタの厚みに等しい距離だけ離れて前記掛止部と上下に対向し、前記コネクタの下面を載置するとともに、前記掛止部が互いに離隔する方向に回転した際に、前記コネクタを前記開口面に向かって押し出すための載置部を設けていることを特徴とする車載用ケーブルホルダー。
【請求項６】
請求項１〜４のいずれか１項に記載の車載用ケーブルホルダーであって、
前記ホルダー本体は、
弾性を有する合成樹脂製であり、
前記コネクタ保持部は、
前記コネクタ収納凹部の内壁を切り欠いて形成した弾性片から構成していることを特徴とする車載用ケーブルホルダー。
【請求項７】
請求項６に記載の車載用ケーブルホルダーであって、
前記ホルダー本体には、
前記コネクタ収納凹部から突出する方向に前記弾性片を付勢する金属バネを取り付けていることを特徴とする車載用ケーブルホルダー。
【発明の詳細な説明】
【技術分野】
【０００１】
この発明は、例えば携帯型デジタル音楽プレイヤー等の携帯電子機器を、カーオーディオ等の車載電子機器に接続するためのＵＳＢケーブルのコネクタを車室内に保持しておくための車載用ケーブルホルダーに関し、コネクタの保持機構と、外部操作による押出機構とを備えたものである。
【背景技術】
【０００２】
従来、携帯電話接続用のケーブルのコネクタを差し込む凹部を設けた携帯電話接続構造（例えば特許文献１の段落番号「００３４」及び図５参照）や、コネクタを両側から挟み持つ一対の円形フックを有する車載ホルダー（例えば特許文献２の段落番号「００１７」、図１、図２、図４及び図５参照）が知られている。
なお、後者の車載ホルダーの円形フックには、コネクタから電話機を切離し機能があり、コネクタ係着操作部を操作することで、コネクタから電話機を切離することができるようにした（例えば特許文献２の段落番号「００３３」及び図４参照）。
【先行技術文献】
【特許文献】
【０００３】
【特許文献１】特許第4048820号公報
【特許文献２】特開平5-294190号公報
【発明の概要】
【発明が解決しようとする課題】
【０００４】
しかし、上記した前者の携帯電話接続構造は、コネクタを凹部に単に差し込んでいるだけであるので、コネクタが凹部から不用意に外れるおそれがあるという問題点があった。
上記した後者の車載ホルダーは、コネクタを一対の円形フックで保持できる半面に、コネクタの取り外しが困難になるという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００５】
すなわち、請求項１に記載の発明は、コネクタの保持機構と、外部操作による押出機構とを備えた車載用ケーブルホルダーを提供することができるようにしたものである。
すなわち、請求項１に記載の発明によれば、コネクタの保持機構により、コネクタが不用意に外れるのを防止すると同時に、押出機構によりコネクタを取り出し易くすることができる。
（請求項２）
請求項２に記載の発明は、上記した請求項１に記載の発明の目的に加え、次の点を目的とする。
【０００６】
すなわち、請求項２に記載の発明は、操作部を押圧することにより、当該押圧力を利用してコネクタを取り出すことができるようにしたものであり、構造の簡便化を図ることができるようにしたものである。
（請求項３）
請求項３に記載の発明は、上記した請求項１に記載の発明の目的に加え、次の点を目的とする。
【０００７】
すなわち、請求項３に記載の発明は、付勢手段の付勢力を利用して、コネクタを取り出すことができるようにしたものである。
（請求項４）
請求項４に記載の発明は、上記した請求項３に記載の発明の目的に加え、次の点を目的とする。
【０００８】
すなわち、請求項４に記載の発明は、操作ボタンを操作することで、ロック手段のロック状態を解除することができるようにしたものである。
（請求項５）
請求項５に記載の発明は、上記した請求項３又は請求項４に記載の発明の目的に加え、次の点を目的とする。
【０００９】
すなわち、請求項５に記載の発明は、コネクタを両側から挟み持つことが可能な一対のアームにより、コネクタ保持部とコネクタ押出装置とを兼用することができるようにしたものである。
（請求項６）
請求項６に記載の発明は、上記した請求項１〜４のいずれか１項に記載の発明の目的に加え、次の点を目的とする。
【００１０】
すなわち、請求項６に記載の発明は、合成樹脂製のホルダー本体のコネクタ収納凹部の内壁を切り欠いて弾性片を形成し、当該弾性片をコネクタ保持部として使用したものであり、構造の簡便化を図ることができるようにしたものである。
（請求項７）
請求項７に記載の発明は、上記した請求項６に記載の発明の目的に加え、次の点を目的とする。
【００１１】
すなわち、請求項７に記載の発明は、弾性片の樹脂の弾性疲労によるコネクタの保持力の低下を、金属バネにより補うことができるようにしたものである。
【課題を解決するための手段】
【００１２】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１３】
第１に、例えば図１に示すように、一方が図示しないが車載電子機器（例えばカーオーディオ）に接続され、他方に図示しないが携帯電子機器（例えば携帯型デジタル音楽プレイヤー）を接続可能なコネクタ(21)を有するケーブル(20)のコネクタ(21)を保持する車載用ケーブルホルダー(10)である。
第２に、車載用ケーブルホルダー(10)には、例えば図２に示すように、次の構成を備える。
【００１４】
（１）ホルダー本体(30)
ホルダー本体(30)は、例えば図２に示すように、コネクタ(21)がはまり込む凹状のコネクタ収納凹部(33)を有し、車室内に固定されるものである。
（２）コネクタ保持部（例えば弾性片34）
コネクタ保持部（例えば弾性片34）は、例えば図２に示すように、少なくとも一対形成され、コネクタ収納凹部(33)内に相対向して突出し、コネクタ収納凹部(33)にはめ込まれたコネクタ(21)を保持するものである。
【００１５】
（３）コネクタ押出装置（例えばレバー40）
コネクタ押出装置（例えばレバー40）は、例えば図２に示すように、外部操作により、コネクタ保持部（例えば弾性片34）による保持力に抗して、コネクタ収納凹部(33)内にはめ込まれたコネクタ(21)を当該コネクタ収納凹部(33)の開口面に向かって押し出すためのものである。
（請求項２）
請求項２に記載の発明は、上記した請求項１に記載の発明の特徴点に加え、次の点を特徴とする。
【００１６】
コネクタ押出装置（例えばレバー40）には、例えば図２に示すように、次の構成を備える。
（１）回転部(42)
回転部(42)は、ホルダー本体(30)に回転可能に支持されたものである。
（２）操作部(42)
操作部(41)は、例えば図２に示すように、回転部(42)を挟んで一端部に位置し、コネクタ収納凹部(33)の外側に臨むとともに、操作者が押圧可能なものである。
【００１７】
（３）押圧部(43)
押圧部(43)は、例えば図２に示すように、回転部(42)を挟んで他端部に位置し、コネクタ収納凹部(33)内に臨むとともに、操作部(41)が押圧された際の押圧力により回転部(42)を中心に回転し、コネクタ収納凹部(33)内にはめ込まれたコネクタ(21)を開口面に向かって押し出すためのものである。
（請求項３）
請求項３に記載の発明は、上記した請求項１に記載の発明の特徴点に加え、次の点を特徴とする。
【００１８】
すなわち、コネクタ押出装置には、例えば図６に示すように、次の構成を備える。
（１）回転体(120)
回転体(120)は、コネクタ収納凹部(33)の内壁に回転可能に支持され、一方向に回転し、コネクタ収納凹部(33)内にはめ込まれたコネクタ(21)を開口面に向かって押し出すとともに、コネクタ(21)を開口面にはめ込むことにより、当該コネクタ(21)に押されて反対方向に回転可能なものである。
【００１９】
（２）付勢手段（例えば捻りコイルバネ140）
付勢手段（例えば捻りコイルバネ140）は、回転体(120)を一方向に向かって回転するように回転力を付与するとともに、回転体(120)が反対方向に回転した際に回転力を蓄積可能なものである。
（３）ロック手段（例えば回転体120）
ロック手段（例えば回転体120）は、付勢手段（例えば捻りコイルバネ140）が回転力を蓄積した状態にロックするとともに、外部操作によりロック状態を解除可能なものである。
（請求項４）
請求項４に記載の発明は、上記した請求項３に記載の発明の特徴点に加え、次の点を特徴とする。
【００２０】
すなわち、コネクタ押出装置には、例えば図６に示すように、次の構成を備える。
（１）操作ボタン(110)
操作ボタン(110)は、ロック手段（例えば回転体120）のロック状態を解除可能なものである。
（請求項５）
請求項５に記載の発明は、上記した請求項３又は請求項４に記載の発明の特徴点に加え、次の点を特徴とする。
【００２１】
第１に、回転体(120)は、例えば図１２に示すように、コネクタ収納凹部(33)内にはめ込まれたコネクタ(21)を両側から挟み持つことが可能な一対のアーム(230)から構成されている。
第２に、アーム(230)は、例えば図１２に示すように、コネクタ収納凹部(33)の底から開口面に向かって上下方向に延び、高さの途中が回転軸（例えばアーム回転軸251）により回転可能に支持されている。
【００２２】
第３に、コネクタ収納凹部(33)の開口面側に位置するアーム(230)の上端部には、例えば図１６及び図１７に示すように、相対向して突出し、コネクタ収納凹部(33)内にはめ込まれたコネクタ(21)の上面に引っ掛かり、コネクタ保持部として機能する掛止部(232)を設けている。
第４に、掛止部(232)に対し回転軸（例えばアーム回転軸251）を挟んでコネクタ収納凹部(33)の底側に位置するアーム(230)の下端部には、例えば図１６及び図１７に示すように、コネクタ(21)の厚みに等しい距離だけ離れて掛止部(232)と上下に対向し、コネクタ(21)の下面を載置するとともに、掛止部(232)が互いに離隔する方向に回転した際に、コネクタ(21)を開口面に向かって押し出すための載置部(233)を設けている。
（請求項６）
請求項６に記載の発明は、上記した請求項１〜４のいずれか１項に記載の発明の特徴点に加え、次の点を特徴とする。
【００２３】
第１に、ホルダー本体(30)は、弾性を有する合成樹脂製である。
第２に、コネクタ保持部は、例えば図２に示すように、コネクタ収納凹部(33)の内壁を切り欠いて形成した弾性片(34)から構成している。
（請求項７）
請求項７に記載の発明は、上記した請求項６に記載の発明の特徴点に加え、次の点を特徴とする。
【００２４】
すなわち、ホルダー本体(30)には、例えば図２に示すように、コネクタ収納凹部(33)から突出する方向に弾性片(34)を付勢する金属バネ(60)を取り付けている。
【発明の効果】
【００２５】
本発明は、以上のように構成されているので、以下に記載されるような効果を奏する。
（請求項１）
請求項１に記載の発明によれば、次のような効果を奏する。
すなわち、請求項１に記載の発明によれば、コネクタの保持機構と、外部操作による押出機構とを備えた車載用ケーブルホルダーを提供することができる。
【００２６】
すなわち、請求項１に記載の発明によれば、コネクタの保持機構により、コネクタが不用意に外れるのを防止すると同時に、押出機構によりコネクタを取り出し易くすることができる。
（請求項２）
請求項２に記載の発明は、上記した請求項１に記載の発明の効果に加え、次のような効果を奏する。
【００２７】
すなわち、請求項２に記載の発明によれば、操作部を押圧することにより、当該押圧力を利用してコネクタを取り出すことができるようにしたものであり、構造の簡便化を図ることができる。
（請求項３）
請求項３に記載の発明によれば、上記した請求項１に記載の発明の効果に加え、次のような効果を奏する。
【００２８】
すなわち、請求項３に記載の発明によれば、付勢手段の付勢力を利用して、コネクタを取り出すことができる。
（請求項４）
請求項４に記載の発明によれば、上記した請求項３に記載の発明の効果に加え、次のような効果を奏する。
【００２９】
すなわち、請求項４に記載の発明によれば、操作ボタンを操作することで、ロック手段のロック状態を解除することができる。
（請求項５）
請求項５に記載の発明によれば、上記した請求項３又は請求項４に記載の発明の効果に加え、次のような効果を奏する。
【００３０】
すなわち、請求項５に記載の発明によれば、コネクタを両側から挟み持つことが可能な一対のアームにより、コネクタ保持部とコネクタ押出装置とを兼用することができる。
（請求項６）
請求項６に記載の発明によれば、上記した請求項１〜４のいずれか１項に記載の発明の効果に加え、次のような効果を奏する。
【００３１】
すなわち、請求項６に記載の発明によれば、合成樹脂製のホルダー本体のコネクタ収納凹部の内壁を切り欠いて弾性片を形成し、当該弾性片をコネクタ保持部として使用したものであり、構造の簡便化を図ることができる。
（請求項７）
請求項７に記載の発明によれば、上記した請求項６に記載の発明の効果に加え、次のような効果を奏する。
【００３２】
すなわち、請求項７に記載の発明によれば、弾性片の樹脂の弾性疲労によるコネクタの保持力の低下を、金属バネにより補うことができる。
【図面の簡単な説明】
【００３３】
【図１】ケーブルを装着したケーブルホルダーの斜視図である。
【図２】ケーブルホルダーの分解斜視図である。
【図３】組立状態のケーブルホルダーの斜視図である。
【図４】ケーブルホルダーを底面方向から見た斜視図である。
【図５】コネクタの取出状態を示すケーブルホルダーの斜視図である。
【図６】本発明の第２の実施の形態に係るケーブルホルダーの分解斜視図である。
【図７】組立状態のケーブルホルダーの斜視図である。
【図８】ケーブルホルダーを底面方向から見た斜視図である。
【図９】ケーブルホルダーを図８とは異なる方向から見た斜視図である。
【図１０】ケーブルホルダーを図７とは異なる方向から見た斜視図である。
【図１１】操作ボタンを押した状態のケーブルホルダーの斜視図である。
【図１２】本発明の第３の実施の形態に係るケーブルホルダーの一部分解斜視図である。
【図１３】組立状態のケーブルホルダーの一部斜視図である。
【図１４】図１３のａ−ａ線に沿う断面図である。
【図１５】図１３のｂ−ｂ線に沿う断面図である。
【図１６】コネクタの取出状態を示すケーブルホルダーの一部斜視図である。
【図１７】図１６のｃ−ｃ線に沿う断面図である。
【図１８】図１６のｄ−ｄ線に沿う断面図である。
【発明を実施するための形態】
【００３４】
（車載用ケーブルホルダー10）
図中、10は車載用ケーブルホルダーを示し、このケーブルホルダー10は、図示しないが、車室内に埋設状に固定される。
ケーブルホルダー10には、図１及び図５に示すように、例えばＵＳＢケーブル等のケーブル20が保持される。なお、ケーブル20として、ＵＳＢケーブルを例示したが、これに限定されない。
【００３５】
具体的には、ケーブル20は、図１に示すように、一端部がカーオーディオ等の車載電子機器（図示せず）に接続され、他端部にＢ端子のコネクタ21を有する。コネクタ21には、携帯型デジタル音楽プレイヤー等の携帯電子機器（図示せず）が着脱可能に接続される。
一方、ケーブルホルダー10には、図２に示すように、大別すると、次のパーツを備える。
【００３６】
なお、次の（１）〜（５）については、後述する。
（１）ホルダー本体30
（２）レバー40
（３）レバー復帰バネ50
（４）金属バネ60
（５）リッド70
なお、ケーブルホルダー10のパーツは、上記した（１）〜（５）に限定されない。
（ホルダー本体30）
ホルダー本体30は、図２に示すように、プレート状に形成され、例えば適度な剛性と弾性とを有する合成樹脂で一体に成形されている。
【００３７】
ホルダー本体30は、図２に示すように、大別すると、次の各部を有する。
（１）開口部31
（２）ケーブル収納溝32
（３）コネクタ収納凹部33
（４）弾性片34
（５）レバー取付部35
（６）突軸36
（７）差込片37
（８）弾性爪38
なお、ホルダー本体30の各部は、上記した（１）〜（８）に限定されない。
（開口部31）
開口部31は、図２に示すように、ホルダー本体30の一端部に位置し、ケーブル20が通るものである。具体的には、開口部31は、上下に方形に貫通し、ケーブル20を通した状態で、後述するリッド70により塞がれる。
（ケーブル収納溝32）
ケーブル収納溝32は、図２に示すように、開口部31からホルダー本体30の他端部に向かって溝状に延び、開口部31から出たケーブル20がはまり込むものである。具体的には、ケーブル収納溝32は、断面が凹状に凹み、溝幅及び深さをケーブル20の直径にほほ一致させている。ケーブル収納溝32は、開口部31に臨む一端部、及び後述するコネクタ収納凹部33に臨む他端部は徐々に深くなるように下り傾斜させている。
（コネクタ収納凹部33）
コネクタ収納凹部33は、図２に示すように、ホルダー本体30の他端部に位置するとともに、ケーブル収納溝32に連通し、コネクタ21がはまり込む凹状に形成されている。具体的には、コネクタ収納凹部33は、ケーブル収納溝32と略Ｔ字形に交わるように形成され、底が塞がれている。
（弾性片34）
弾性片34は、図２に示すように、コネクタ収納凹部33内に相対向して弾性的に突出し、当該コネクタ収納凹部33内にはめ込まれたコネクタ21を保持するものである。
【００３８】
具体的には、弾性片34は、コネクタ収納凹部33の幅方向に対向する内壁を、コ字形に切り欠くことで形成されている。弾性片34は、コネクタ収納凹部33の底側に位置する下端部がヒンジとして内壁に連続し、上端部が自由端となり、上端部にはコネクタ収納凹部33内に鍵形に突出した爪部を設け、当該爪部がコネクタ収納凹部33内にはめ込まれたコネクタ21の上面に引っ掛かることで、コネクタ21をコネクタ収納凹部33内に保持する。
【００３９】
このため、一対の弾性片34は、コネクタ保持部として機能する。コネクタ保持部は、少なくとも一対形成され、コネクタ収納凹部33内に相対向して突出し、コネクタ収納凹部33内にはめ込まれたコネクタ21を保持するものであるが、一対の弾性片34に限定されない。
なお、弾性片34を、一対形成したが、これに限定されず、３個以上形成しても良い。
（レバー取付部35及び突軸36）
レバー取付部35は、図２に示すように、後述するレバー40の一端部に位置する操作部41がはまり込む。具体的には、レバー取付部35は、開口部31と反対側の端部に位置し、コネクタ収納凹部33に隣接させて凹状に設けられている。
【００４０】
また、突軸36は、図２に示すように、レバー取付部35に位置し、後述するレバー40の穴状の回転部42を回転可能に支持するもである。具体的には、突軸36は、相対向して内向きに左右一対突出する。
（差込片37及び弾性爪38）
差込片37は、図示しないが、ホルダー本体30を車室内に取り付ける際の位置決めをするためのものである。具体的には、差込片37は、図２に示すように、開口部31の有るホルダー本体30の端面から、折り返したＶ字形に突出する。
【００４１】
また、弾性爪38は、図示しないが、ホルダー本体30を車室内に取り付けるためのものである。具体的には、弾性爪38は、ホルダー本体30の幅方向に端面から複数個、突出する。
（レバー40）
レバー40は、コネクタ収納凹部33内にはめ込まれたコネクタ21を当該コネクタ収納凹部33の開口面に向かって押し出すためのものである。
【００４２】
レバー40は、図２に示すように、クランク形に曲がり、一端部に後述する操作部41を有し、操作部41は、ホルダー本体30のレバー取付部35にはめ込まれる。
操作部41の下側には、回転部42を有し、回転部42は、レバー取付部35に位置する突軸36に回転可能に支持される。具体的には、回転部42は、突軸36がはまり込む穴状に形成され、左右一対形成されている。
【００４３】
レバー40の他端部には、板状の押圧部43が形成され、押圧部43は、レバー取付部35からコネクタ収納凹部33内に突出し、コネクタ収納凹部33の底に沿って位置する。
（レバー復帰バネ50）
レバー復帰バネ50は、指で押し込んだレバー40を復帰させるためのものであり、ホルダー本体30の左右一対の突軸36に挿通される。
【００４４】
具体的には、レバー復帰バネ50は、コイルスプリングから構成され、その一端部がホルダー本体30に掛けられ、他端部がレバー40に掛けられ、巻き締められたレバー復帰バネ50が巻き解こうとする復元力により、レバー40に回転力を付与している。レバー40は、レバー復帰バネ50の回転力により、操作部41がレバー取付部35から突出する方向に付勢される。
（金属バネ60）
金属バネ60は、ホルダー本体30の収納凹部33の外面に取り付けられ、コネクタ収納凹部33から突出する方向に弾性片34を付勢するものである。
（リッド70）
リッド70は、図２に示すように、ホルダー本体30の開口部31に取り付けられ、当該開口部31を塞ぐものである。具体的には、リッド70は、ホルダー本体30の下面に向かって断面Ｌ字形に延びる一対の係止片71と、左右両側から折り返したＶ字形に突出する折返片72とを備える。リッド70は、係止片71をホルダー本体30の下面に沿わせて差し込み、開口部31に向かって押し下げると、折返片72が開口部31の内縁に押されて一端引っ込み、再度、復元することで、ホルダー本体30の下面に引っ掛かり、リッド70を開口部31に固定する。
（使用方法）
つぎに、上記した構成を備えたケーブルホルダー10の使用方法について説明する。
【００４５】
コネクタ収納凹部33内にコネクタ21が収納された状態からコネクタ21を取り出すには、図５に示すように、レバー40の操作部41をホルダー本体30のレバー取付部35の底に向かって押し下げれば良い。
レバー40を押し下げると、ホルダー本体30の突軸36を中心に回転し、図５に示すように、押圧部43が収納凹部33の底から開口面に向かって上昇する。
【００４６】
このため、コネクタ21の下面が、レバー40の押圧部43に押され、上昇しようとする。
このとき、コネクタ収納凹部33内に突出する弾性爪38が、コネクタ21の外面に押されて引っ込み、図５に示すように、コネクタ21がコネクタ収納凹部33の開口面から少し浮き上がる。
このため、浮上したコネクタ21を持って、図１に示すように、コネクタ収納凹部33から取り出すことができる。
【００４７】
レバー40の操作部41を押し下げる力を解放すると、レバー復帰バネ50による回転力によりレバー40が回転し、操作部41が上昇して復帰し、押圧部43が下降する。
一方、取り出したコネクタ21を収納するには、コネクタ収納凹部33の開口面に合わせてはめ込めば良い。
コネクタ21をはめ込むと、コネクタ収納凹部33内に突出する弾性爪38に当接する。
【００４８】
ここで、コネクタ21をコネクタ収納凹部33の底に向かって押し下げると、コネクタ21の外面に押されて弾性爪38が一旦、引っ込む。弾性爪38をコネクタ21が通過すると、弾性爪38が再度、突出し、コネクタ21の上面に引っ掛かり、コネクタ21をコネクタ収納凹部33内に保持する。
（第２の実施の形態）
つぎに、図６〜１１を用いて、本発明の第２の実施の形態について説明する。
【００４９】
本実施の形態の特徴は、付勢手段である捻りコイルバネ140の付勢力を利用して、コネクタ21を突出させるようにした点を特徴とする。
本実施の形態に係るケーブルホルダー100は、図６に示すように、大別すると、次のパーツを備える。
なお、次の（６）を除き、（１）〜（５）については、後述する。また、本実施の形態に説明においては、図１〜５を用いて説明した第１の実施の形態と同一の構成部分については、同一符号を用いて説明を省略する。
【００５０】
（１）ホルダー本体30
（２）操作ボタン110
（３）回転体120（コネクタ押出装置（ロック手段））
（４）圧縮スプリング130
（５）捻りコイルバネ140（付勢手段）
（６）リッド70
なお、ケーブルホルダー100のパーツは、上記した（１）〜（６）に限定されない。
（ホルダー本体30）
ホルダー本体30は、図６に示すように、図１〜５を用いて説明した第１の実施の形態のホルダー本体30とほぼ同じ構造を有している。
【００５１】
異なる点としては、第１に、第１の実施の形態のレバー取付部35に変えて、図６に示すように、ボタン取付部150を設けている。具体的には、ボタン取付部150は、後述する操作ボタン110がはまり込むものであり、開口部31と反対側の端部に位置し、コネクタ収納凹部33に隣接させて凹状に設けられている。
第２に、ボタン取付部150には、図６に示すように、突軸151が設けられている。突軸151は、後述する操作ボタン110の軸穴111にはまり込み、操作ボタン110を回転可能に支持するもであり、相対向して内向きに左右一対突出する。
【００５２】
第３に、ホルダー本体30の幅方向の外側面には、後述する回転体120を回転可能に支持する一対の支持片152を設けている。一対の支持片152により、回転体120は回転且つ、ホルダー本体30の長手方向にスライド可能に支持される。
第４に、コネクタ収納凹部33の内側面には、後述する回転体120の掛止片123と対向して突出し、コネクタ収納凹部33にはめ込まれたコネクタ21の上面に引っ掛かる固定爪153を設けている。固定爪153は、掛止片123と協働してコネクタ保持部として機能する。
【００５３】
第５に、コネクタ収納凹部33の底には、上下に貫通し、後述する回転体120の蹴出片124が通過可能な通過孔154を設けている。通過孔154は、蹴出片124の大きさにほぼ等しい大きさに形成され、後述する回転体120がスライドした際には、蹴出片124の通過が阻止される。
（操作ボタン110）
操作ボタン110は、回転式のものであり、下方に向かって回転させると、後述する回転体120と係合し、当該回転体120を一方向、すなわち解除方向（図６中、奥側の右方向）に向かってスライドさせることで、回転体120のロック状態を解除するためのものである。
【００５４】
具体的には、操作ボタン110の下側の両側面には、図６に示すように、突軸151がはまり込む左右一対の軸穴111が形成されている。また、操作ボタン110の下端部には、後述する回転体120に向かって断面Ｌ字形に屈曲した作用部112を設けている。
（回転体120）
回転体120は、ホルダー本体30の支持片152に回転可能に支持され、一方向、すなわち上方に向かって回転し、コネクタ収納凹部33内にはめ込まれたコネクタ21を開口面に向かって押し出すとともに、コネクタ21を開口面にはめ込むことにより、当該コネクタ21に押されて反対方向、すなわち下方に回転可能なものである。
【００５５】
また、回転体120は、下方に回転した際に、ロックし、ロック手段を兼用している。
なお、ロック手段は、回転体120に限定されない。
すなわち、回転体120は、支持片152に対して一方向、すなわちロック方向（図６中、手前側の左方向）にスライドすることで、ロックするとともに、操作ボタン110を押し下げた際に、作用部112に押されてロック方向と逆方向、すなわち解除方向（図６中、奥側の右方向）にスライドすることでロック状態を解除可能に構成されている。
【００５６】
具体的には、回転体120には、図６に示すように、次の各部を備える。
なお、回転体120の各部は、次の（１）及び（２）に限定されない。
（１）スライド軸121
スライド軸121は、図６に示すように、ホルダー本体30の支持片152により、回転体120は回転且つスライド可能に支持される。
【００５７】
（２）コネクタ保持部122
コネクタ保持部122は、図６に示すように、スライド軸121から直交する向きに断面Ｌ字形に突出し、ホルダー本体30のコネクタ収納凹部33内に突出するものである。
コネクタ保持部122には、上方に延びる掛止片123と、横向きに延びる蹴出片124とを備える。
【００５８】
掛止片123は、コネクタ収納凹部33内に常時、突出し、固定爪153と対向し、コネクタ収納凹部33にはめ込まれたコネクタ21の上面に引っ掛かるものである。掛止片123は、固定爪153と協働してコネクタ保持部として機能する。
蹴出片124は、スライド軸121が上方に回転した際に、コネクタ収納凹部33の底の通過孔154を通過して、コネクタ収納凹部33内に突出し、コネクタ収納凹部33にはめ込まれたコネクタ21を開口面に向かって蹴り出すものである。
【００５９】
すなわち、蹴出片124は、回転体120が解除方向（図６中、奥側の右方向）に向かってスライドした解除位置においてだけ、通過孔154を通過可能である。回転体120がロック方向（図６中、手前側の左方向）にスライドしたロック位置においては、蹴出片124は、コネクタ収納凹部33の底の下面に当たって、通過孔154を通過不能となる。
（圧縮スプリング130）
圧縮スプリング130は、操作ボタン110と回転体120とにより圧縮され、指で押された操作ボタン110を復帰させるためのものである。
（捻りコイルバネ140）
捻りコイルバネ140は、回転体120を一方向、すなわち上方に向かって回転するように回転力を付与するとともに、回転体120が反対方向、下方に向かって回転した際に回転力を蓄積可能なものであり、付勢手段を構成する。
【００６０】
なお、付勢手段は、捻りコイルバネ140に限定されない。
具体的には、捻りコイルバネ140は、回転体120のスライド軸121に通され、一端部がホルダー本体30に掛けられ、他端部が回転体120に掛けられ、巻き締められた捻りコイルバネ140が巻き解こうとする復元力により、回転体120に回転力を付与している。
また、捻りコイルバネ140は、圧縮スプリング130と反対側に位置し、その圧縮復元力により、回転体120を図６中、手前側の左方向にスライドするように付勢している。
（使用方法）
つぎに、上記した構成を備えた第２の実施の形態に係るケーブルホルダー100の使用方法について説明する。
【００６１】
コネクタ収納凹部33内にコネクタ21が収納された状態からコネクタ21を取り出すには、図１１に示すように、操作ボタン110をホルダー本体30のボタン取付部150の底に向かって押し下げれば良い。
操作ボタン110を押し下げると、ホルダー本体30の突軸151を中心に回転する。このとき、操作ボタン110の作用部112により、回転体120が解除方向（図６中、奥側の右方向）に向かってスライドされる。
【００６２】
同時に、圧縮スプリング130は、操作ボタン110を押し下げることにより、圧縮されて圧縮復元力を蓄積する。また、回転体120が解除方向（図６中、奥側の右方向）に向かってスライドすることにより、捻りコイルバネ140も圧縮されて圧縮復元力を蓄積する。
回転体120が解除方向（図６中、奥側の右方向）に向かってスライドすると、蹴出片124とホルダー本体30のコネクタ収納凹部33の底の通過孔154との位置が一致する。
【００６３】
このため、回転体120が、捻りコイルバネ140の巻き解こうとする復元力により回転することで、蹴出片124が通過孔154を通過して、コネクタ収納凹部33内に突出する。
さらに、回転体120が回転することで、コネクタ21の下面が蹴出片124に押されて上昇し、コネクタ収納凹部33の開口面から少し浮き上がる。
このため、浮上したコネクタ21を持って、コネクタ収納凹部33から取り出すことができる。
【００６４】
操作ボタン110を押し下げる力を解放すると、圧縮スプリング130の圧縮復元力により、上昇して復帰する。
一方、取り出したコネクタ21を収納するには、コネクタ収納凹部33の開口面に合わせてはめ込めば良い。
コネクタ21をはめ込むと、その下面がコネクタ収納凹部33から上昇してる蹴出片124に当接する。
【００６５】
ここで、コネクタ21をコネクタ収納凹部33の底に向かって押し下げると、その下面に押されて蹴出片124が下降する。
蹴出片124が、下降し、通過孔154を通過すると、捻りコイルバネ140の圧縮復元力により、回転体120がロック方向（図６中、手前側の左方向）にスライドする。
回転体120がスライドすると、蹴出片124と通過孔154との位置がずれ、蹴出片124は、コネクタ収納凹部33の底の下面に当たって、通過孔154を通過不能となる。
【００６６】
また、蹴出片124が下降する方向に回転した際に、捻りコイルバネ140が巻き締まる方向に回転され、バネ力を蓄積する。
さらに、蹴出片124が下降する方向に回転することで、掛止片123がコネクタ21の上面に引っ掛かり、固定爪153と協働して、コネクタ21をコネクタ収納凹部33内に保持する。
（第３の実施の形態）
つぎに、図１２以降を用いて、本発明の第３の実施の形態について説明する。
【００６７】
本実施の形態の特徴は、コネクタ21を両側から挟み持つことが可能な一対のアーム230により、コネクタ保持部とコネクタ押出装置とを兼用することができるようにした点を特徴とする。
本実施の形態に係るケーブルホルダー200は、図１２に示すように、大別すると、次のパーツを備える。
【００６８】
なお、次の（６）を除き、（１）〜（５）については、後述する。また、本実施の形態に説明においては、図１〜５を用いて説明した第１の実施の形態と同一の構成部分については、同一符号を用いて説明を省略する。
（１）ホルダー本体30
（２）操作ボタン210
（３）ボタン復帰バネ220
（４）アーム230（コネクタ保持部、コネクタ押出装置）
（５）アーム回転バネ240（付勢手段）
なお、ケーブルホルダー100のパーツは、上記した（１）〜（５）に限定されない。
（ホルダー本体30）
ホルダー本体30には、図１２に示すように、図１〜５を用いて説明した第１の実施の形態のホルダー本体30とほぼ同じ構造を有している。
【００６９】
異なる点としては、第１に、第１の実施の形態のレバー取付部35に変えて、図１２に示すように、ボタン取付部250を設けている。具体的には、ボタン取付部250は、後述する操作ボタン210がはまり込むものであり、コネクタ収納凹部33に隣接させて凹状に設けられている。
第２に、コネクタ収納凹部33には、図１２に示すように、その幅方向の両側に一対のアーム取付部251を凹設している。アーム取付部251には、その高さの途中に、後述するアーム230を回転可能に支持するための一対のアーム回転軸252を相対向して突出している。
（操作ボタン210）
操作ボタン210は、プッシュ式のものであり、下方に向かって押し込むと、後述する一対のアーム230から係脱し、当該アーム230のロック状態を解除するためのものである。
【００７０】
具体的には、操作ボタン210の下端部の幅方向の両端部には、図１２に示すように、アーム取付部251に取り付けられたアーム230に向かって断面Ｌ字形に屈曲して延びたロック部211を設けている。ロック部211は、アーム230の回転範囲内に突出し、アーム230の回転を阻止するとともに、操作ボタン210を押し込んで下降させたときに、アーム230から係脱し、当該アーム230の回転を許容する。ロック部211は、ロック手段として機能するが、ロック手段はロック部211に限定されない。
（ボタン復帰バネ220）
ボタン復帰バネ220は、ボタン取付部250の底と操作ボタン210とにより圧縮され、操作ボタン210を突出する方向に付勢するものである。
（アーム230）
アーム230は、図１２に示すように、コネクタ収納凹部33の底から開口面に向かって上下方向に延び、高さの途中がアーム回転軸251により回転可能に支持されている。
【００７１】
アーム230には、図１２に示すように、次の各部を備える。なお、アーム230の各部は、次の（１）〜（５）に限定されない。
（１）軸受部231
軸受部231は、図１２に示すように、両端部に互いに背向させてＵ字形に形成され、アーム230の高さの途中に位置する。軸受部231には、アーム取付部251のアーム回転軸252がはまり込む。
【００７２】
（２）掛止部232
掛止部232は、コネクタ収納凹部33の開口面側に位置するアーム230の上端部に位置し、相対向して突出し、コネクタ収納凹部33内にはめ込まれたコネクタ21の上面に引っ掛かり、コネクタ保持部として機能するものである。
（３）載置部233
載置部233は、掛止部232に対しアーム回転軸251を挟んでコネクタ収納凹部33の底側に位置するアーム230の下端部に位置し、コネクタ21の厚みに等しい距離だけ離れて掛止部232と上下に対向し、コネクタ21の下面を載置するとともに、掛止部232が互いに離隔する方向に回転した際に、コネクタ21を開口面に向かって押し出すためのものである。
【００７３】
（４）バネ取付部234
バネ取付部234は、アーム230の裏面側に位置し、相対向して軸状に突出し、後述するアーム回転バネ240が挿通されるものである。
（アーム回転バネ240）
アーム回転バネ240は、アーム230に回転力を付与するためのものであり、この回転力によりアーム230は、掛止部232が互いに離隔する方向に付勢されている。
【００７４】
具体的には、アーム回転バネ240は、コイルスプリングから構成され、その一端部がホルダー本体30に掛けられ、他端部がアーム230に掛けられ、巻き締められたアーム回転バネ240が巻き解こうとする復元力により、アーム230に回転力を付与している。
（使用方法）
つぎに、上記した構成を備えた第３の実施の形態に係るケーブルホルダー200の使用方法について説明する。
【００７５】
コネクタ収納凹部33内にコネクタ21が収納された状態からコネクタ21を取り出すには、操作ボタン210をホルダー本体30のボタン取付部250の底に向かって押し下げれば良い。
操作ボタン210を押し下げると、ロック部211がアーム230から係脱し、当該アーム230の回転が可能となる。
このため、アーム230は、アーム回転バネ240のばね復元力により、図１３及び図１４に示すように、ホルダー本体30のアーム回転軸252を中心に回転し、掛止部232が互いに離隔する方向に回転する。
【００７６】
このとき、アーム230の載置部233により、コネクタ収納凹部33内にはめ込まれたコネクタ21の下面を押し上げる。このため、コネクタ21がコネクタ収納凹部33の開口面から少し浮き上がり、浮上したコネクタ21を持って、コネクタ収納凹部33から取り出すことができる。
操作ボタン210を押し下げる力を解放すると、ボタン復帰バネ220の圧縮復元力により、上昇して復帰する。
【００７７】
一方、取り出したコネクタ21を収納するには、コネクタ収納凹部33の開口面に合わせてはめ込めば良い。
コネクタ21をはめ込むと、その下面がアーム230の載置部233に当接する。
ここで、コネクタ21をコネクタ収納凹部33の底に向かって押し下げると、その下面に押されて載置部233が下降し、アーム230は、ホルダー本体30のアーム回転軸252を中心に回転し、図１６に示すように、掛止部232が互いに接近する方向に回転する。
【００７８】
このため、掛止部232が、図１６に示すように、コネクタ21の上面に引っ掛かり、コネクタ21をコネクタ収納凹部33内に保持する。
このとき、アーム回転バネ240が巻き締まる方向に回転され、バネ力を蓄積する。
また、操作ボタン210のロック部211が、アーム230の回転範囲内に突出していることから、アーム回転バネ240の上記蓄積したバネ力によりアーム230が回転するのが阻止される。
【符号の説明】
【００７９】
（第１の実施の形態）
10  車載用ケーブルホルダー
20  ケーブル                    21  コネクタ
30  ホルダー本体
31  開口部                      32  ケーブル収納溝
33  コネクタ収納凹部            34  弾性片（コネクタ保持部）
35  レバー取付部                36  突軸
37  差込片                      38  弾性爪
40  レバー（コネクタ押出装置）
41  操作部                      42  回転部
43  押圧部
50  レバー復帰バネ              60  金属バネ
70  リッド
71  係止片                      72  折返片
（第２の実施の形態）
100  ケーブルホルダー
110  操作ボタン
111  軸穴                       112  作用部
120  回転体（コネクタ押出装置）
121  スライド軸                 122  コネクタ保持部
123  掛止片（コネクタ保持部）   124  蹴出片
130  圧縮スプリング             140  捻りコイルバネ（付勢手段）
150  ボタン取付部
151  突軸                       152  支持片
153  固定爪（コネクタ保持部）   154  通過孔
（第３の実施の形態）
200  ケーブルホルダー
210  操作ボタン                 211  ロック部（ロック手段）
220  ボタン復帰バネ
230  アーム（コネクタ保持部、コネクタ押出装置）
231  軸受部                     232  掛止部
233  載置部                     234  バネ取付部
240  アーム回転バネ（付勢手段）
250  ボタン取付部
251  アーム取付部               252  アーム回転軸
【図１】
2011005944.tif 000003
【図２】
2011005944.tif 000004
【図３】
2011005944.tif 000005
【図４】
2011005944.tif 000006
【図５】
2011005944.tif 000007
【図６】
2011005944.tif 000008
【図７】
2011005944.tif 000009
【図８】
2011005944.tif 000010
【図９】
2011005944.tif 000011
【図１０】
2011005944.tif 000012
【図１１】
2011005944.tif 000013
【図１２】
2011005944.tif 000014
【図１３】
2011005944.tif 000015
【図１４】
2011005944.tif 000016
【図１５】
2011005944.tif 000017
【図１６】
2011005944.tif 000018
【図１７】
2011005944.tif 000019
【図１８】
2011005944.tif 000020